(57)【要約】【課題】データが記憶されている場所に拘わらず、データの記憶場所を案内すること。【解決手段】フォルダに格納されたデータをコピー部３０１によって情報処理装置１００から外部ＨＤＤ３１０にコピーし、コピー後にフォルダを削除した場合、外部ＨＤＤ３１０にコピーされたデータが格納されたフォルダおよびデータがコピーされた外部ＨＤＤ３１０に関する情報を関連づけて記録部３０２によって記録する。そして、記録部３０２によって記録された情報を用いて、ユーザにより報知指示を受けたフォルダが外部ＨＤＤ３１０にコピーされたデータが格納されていたフォルダである場合に、記録部３０２によって記録された情報を用いて、削除されて存在しない外部ＨＤＤ３１０にコピーされたデータが格納されていたフォルダを仮想的に表記するとともに、データがコピーされた外部ＨＤＤ３１０を案内する情報を報知部３０３によって報知するようにした。【選択図】図３
2008117344.tif 000002
【特許請求の範囲】
【請求項１】
フォルダ内に格納されたデータを当該フォルダごとに外部記憶装置にコピーし、コピー後に前記フォルダを削除するコピー手段と、
前記コピー手段によって前記外部記憶装置にコピーされたデータが格納されていたフォルダおよび前記データがコピーされた外部記憶装置に関する情報を関連づけて記録する記録手段と、
前記記録手段によって記録された情報を用いて、ユーザにより報知指示を受けたフォルダが前記外部記憶装置にコピーされたデータが格納されていたフォルダか否かを判定する判定手段と、
前記データが格納されていたフォルダである場合に、前記記録手段によって記録された情報を用いて、削除されて存在しない前記外部記憶装置にコピーされたデータが格納されていたフォルダを仮想的に表記するとともに前記データがコピーされた外部記憶装置を案内する情報を報知する報知手段と、
を備えることを特徴とする情報処理装置。
【請求項２】
前記記録手段は、
前記外部記憶装置にコピーされた前記データが格納されたフォルダの位置情報を記録し、
前記報知手段は、
前記位置情報を用いて、前記外部記憶装置にコピーされた前記データが格納されたフォルダにリンクされた表記情報を表示画面に表示することを特徴とする請求項１に記載の情報処理装置。
【請求項３】
前記報知手段によって表示画面に表示された表記情報の指定を受け付ける受付手段と、
前記受付手段によって指定を受け付けた表記情報によってリンクされたフォルダに格納されたデータを取得可能か否かを判断する判断手段と、
を備え、
前記報知手段は、
前記判断手段による判断結果に応じて、指定を受け付けた表記情報によってリンクされたフォルダに格納されたデータ、または、当該データがコピーされた前記外部記憶装置との接続を要求するデータを、前記表示画面に表示することを特徴とする請求項２に記載の情報処理装置。
【発明の詳細な説明】
【技術分野】
【０００１】
この発明は、情報処理装置に関する。
【背景技術】
【０００２】
従来、たとえば、デジタルカメラなどの撮像装置で撮像された画像データを記憶し、ＳＤカードなどの記憶媒体が挿入されると、挿入された記憶媒体に記憶されている画像データのバックアップファイルを作成し、作成したバックアップファイルをＨＤＤなどの外部記憶装置にコピーするようにした情報処理装置があった。このような情報処理装置によれば、バックアップファイルのコピーにかかる利用者の操作負担を軽減し、利用者は簡単な操作によって、情報処理装置が作成したバックアップファイルを外部記憶装置にコピーすることができる。
【０００３】
このような情報処理装置においては、外部記憶装置にコピーした後の画像データを情報処理装置から削除した場合にも、情報処理装置と外部記憶装置とをＵＳＢケーブルなどを介して直接接続することで、外部記憶装置が記憶する画像データを情報処理装置において確認することが可能であった。
【０００４】
また、従来、主記憶装置と副記憶装置との２つの記憶装置を用意し、バックアップの際は、副記憶装置の記憶内容を固定し、これをバックアップ装置によりバックアップし、バックアップ時の主記憶装置の記憶内容の更新は、キューメモリに蓄積し、バックアップ終了後、キューメモリの内容に従い副記憶装置を更新することで、主記憶装置および副記憶装置の記憶内容の更新をおこなうことで同一性を保ち、バックアップしている間にデータ更新がなされると整合性が取れなくなるという課題を解決するようにした技術がある（たとえば、下記特許文献１を参照。）。
【０００５】
【特許文献１】特開平１１−５３１２３号公報
【発明の開示】
【発明が解決しようとする課題】
【０００６】
しかしながら、上述した従来の技術では、情報処理装置に接続されていない外部記憶装置が記憶するデータを把握することができないため、外部記憶装置にコピーした後の画像データを情報処理装置から削除すると、削除されたことにより情報処理装置内で削除された画像データを管理することができず、また、削除した画像データが記憶されている外部記憶装置が分からなくなってしまうという問題があった。そして、このために、たとえば、情報処理装置を利用する利用者が所望する画像データの検索や管理にかかる作業が繁雑になるなどの不具合が生じるという問題があった。
【課題を解決するための手段】
【０００７】
この発明にかかる情報処理装置は、フォルダ内に格納されたデータを当該フォルダごとに外部記憶装置にコピーし、コピー後に前記フォルダを削除するコピー手段と、前記コピー手段によって前記外部記憶装置にコピーされたデータが格納されていたフォルダおよび前記データがコピーされた外部記憶装置に関する情報を関連づけて記録する記録手段と、前記記録手段によって記録された情報を用いて、ユーザにより報知指示を受けたフォルダが前記外部記憶装置にコピーされたデータが格納されていたフォルダか否かを判定する判定手段と、前記データが格納されていたフォルダである場合に、前記記録手段によって記録された情報を用いて、削除されて存在しない前記外部記憶装置にコピーされたデータが格納されていたフォルダを仮想的に表記するとともに前記データがコピーされた外部記憶装置を案内する情報を報知する報知手段と、を備えることを特徴とする。
【０００８】
この発明によれば、フォルダ内に格納されたデータを外部記憶装置にコピーした後に当該フォルダを削除した以降に、当該フォルダの報知指示を受けた場合、削除されて情報処理装置には存在せず外部記憶装置にコピーされたデータが格納されていたフォルダを仮想的に表記するとともに、データがコピーされた外部記憶装置を案内することができる。これによって情報処理装置は、外部記憶装置にコピーしたデータであれば、当該データが格納されていたフォルダが情報処理装置から消去された場合にも、外部記憶装置にコピーされたデータが格納されていたフォルダを仮想的に表記するとともに、データがコピーされた外部記憶装置を案内することができる。
【０００９】
そして、これによって情報処理装置の利用者は、データが記憶されている場所に拘わらず、情報処理装置においてデータの記憶場所を把握することができる。また、情報処理装置の利用者は、外部記憶装置にコピーしたデータを情報処理装置から消去することで、情報処理装置にデータを保持しておくためのメモリを有効に活用することができる。
【００１０】
また、この発明にかかる情報処理装置における前記記録手段は、前記外部記憶装置にコピーされた前記データが格納されたフォルダの位置情報を記録し、前記報知手段は、前記位置情報を用いて、前記外部記憶装置にコピーされた前記データが格納されたフォルダにリンクされた表記情報（図形や記号）を表示画面に表示することを特徴とする。
【００１１】
この発明によれば、表示画面に表示された表記情報を介して、データがコピーされた外部記憶装置と情報処理装置とをリンクさせることができる。これによって情報処理装置は、該当する外部記憶装置が接続されていることを条件として、当該外部記憶装置にコピーしたデータを情報処理装置における表示画面に表示することができる。そして、これによって情報処理装置の利用者は、データが記憶されている場所に拘わらず、情報処理装置においてデータを視認することができる。
【００１２】
また、この発明にかかる情報処理装置は、前記報知手段によって表示画面に表示された表記情報の指定を受け付ける受付手段と、前記受付手段によって指定を受け付けた表記情報によってリンクされたフォルダに格納されたデータを取得可能か否かを判断する判断手段と、を備え、前記報知手段は、前記判断手段による判断結果に応じて、指定を受け付けた表記情報によってリンクされたフォルダに格納されたデータ、または、当該データがコピーされた前記外部記憶装置との接続を要求するデータを、前記表示画面に表示することを特徴とする。
【００１３】
この発明によれば、指定されたフォルダに格納されたデータを表示画面に表示するために適した情報を提供することができる。これによって情報処理装置は、情報処理装置の利用者による複雑な入力操作を介することなく、指定されたフォルダに格納されたデータを表示画面に表示することができる。そして、これによって情報処理装置の利用者は、所望のデータを、容易に視認することができる。
【発明を実施するための最良の形態】
【００１４】
以下に添付図面を参照して、この発明にかかる情報処理装置の好適な実施の形態を詳細に説明する。
【００１５】
（情報処理装置の外観）
図１−１および図１−２は、この実施の形態にかかる情報処理装置の外観図（（その１）および（その２））である。図１−１は情報処理装置の上面図を示しており、図１−２は情報処理装置の正面図を示している。図１−１に示したように、情報処理装置１００は、ＳＤメモリーカードスロット１０１、ＣＦカードスロット１０２、およびＣＦカードイジェクトボタン１０３を備えている。ＳＤメモリーカードスロット１０１には、ＳＤメモリーカード（登録商標）・ＭＭＣ（マルチメディアカード）などが挿入される。
【００１６】
ＣＦカードスロット１０２には、ＣＦカード・マイクロドライブが挿入される。ＣＦカードイジェクトボタン１０３は、ＣＦカードスロット１０２に挿入されたＣＦカードを取り出すときに押下される。ＣＦカードイジェクトボタン１０３が押下された場合には、ＣＦカードスロット１０２に挿入されたＣＦカードが、情報処理装置１００の外部へ排出される。
【００１７】
図１−１中図示を省略するが、情報処理装置１００は、ＵＳＢコネクタを備えている。ＵＳＢコネクタには、たとえば、ＵＳＢケーブルを介して外部記憶装置が接続される。外部記憶装置は、ＨＤＤに記憶された画像ファイルを記憶する記憶媒体を備えており、具体的には、たとえば、ＨＤＤを備えるパーソナルコンピュータや外付けＨＤＤなどの外部ＨＤＤ（図３中符号３１０を参照。）である。
【００１８】
図１−２に示したように、情報処理装置１００は、表示画面を実現する高精細液晶ディスプレイ１０４、および各種操作キー１０５〜１１１を備えている。高精細液晶ディスプレイ１０４は、操作画面や画像データを表示する。各種操作キー１０５〜１１１のうち、図１−２中符号１０５は、「Ｐｒｉｎｔ」ボタンを示している。「Ｐｒｉｎｔ」ボタン１０５が印刷可能な画面で押下された場合、高精細液晶ディスプレイ１０４には印刷設定画面が表示される。
【００１９】
各種操作キー１０５〜１１１のうち、図１−２中符号１０６は、「Ｍｅｎｕ」ボタンを示している。「Ｍｅｎｕ」ボタン１０６が押下された場合、高精細液晶ディスプレイ１０４には、「Ｍｅｎｕ」ボタン１０６が押下された時点で実行可能な操作項目が、ポップアップメニューなどで表示される。各種操作キー１０５〜１１１のうち、図１−２中符号１０７は、「↑↓←→」キー（以下、「４−Ｗａｙリング」という。）を示している。４−Ｗａｙリング１０７の押下によって任意の項目を選択させることができる。
【００２０】
各種操作キー１０５〜１１１のうち、図１−２中符号１０８は「ＯＫ」ボタンを示している。４−Ｗａｙリング１０７の押下によって選択された項目は、「ＯＫ」ボタン１０８の押下によって確定される。図示を省略するが、たとえば、「Ｐｒｉｎｔ」ボタン１０５が選択された状態で「ＯＫ」ボタン１０８が押下された場合、プリント出力処理に関する処理が開始される。各種操作キー１０５〜１１１のうち、図１−２中符号１０９は「Ｃａｎｃｅｌ」ボタンを示している。「Ｃａｎｃｅｌ」ボタン１０９が押下された場合、「Ｃａｎｃｅｌ」ボタン１０９が押下された時点で実行中の操作が中止され、一つ前の画面が表示される。
【００２１】
各種操作キー１０５〜１１１のうち、図１−２中符号１１０は「Ｄｉｓｐｌａｙ」ボタンを示している。「Ｄｉｓｐｌａｙ」ボタン１１０が押下された場合、高精細液晶ディスプレイ１０４には、操作説明や画面の情報が表示される。各種操作キー１０５〜１１１のうち、図１−２中符号１１１は「Ｈｏｍｅ」ボタンを示している。「Ｈｏｍｅ」ボタン１１１が押下された場合、「Ｈｏｍｅ」ボタン１１１が押下された時点で実行中の操作が中止され、「ホーム画面（初期メニュー画面）」が表示される。
【００２２】
（情報処理装置のハードウエア構成）
図２は、この実施の形態にかかる情報処理装置１００のハードウエア構成図である。図２において、情報処理装置１００は、ＣＰＵ２０１と、メモリ２０２と、メモリコントローラ２０３と、ＨＤＤ（ハードディスクドライブ）２０４と、ＡＴＡ  Ｉ／Ｆ（インターフェース）２０５と、入力デバイス２０６と、汎用入出力制御ユニット２０７と、ビデオＩ／Ｆ（インターフェース）２０８と、ビデオデコーダ２０９と、ＬＥＤ（Ｌｉｇｈｔ  Ｅｍｉｔｔｉｍｇ  Ｄｉｏｄｅ）２１０と、上述した高精細液晶ディスプレイ１０４と、オーディオＩ／Ｆ（インターフェース）２１１と、オーディオデコーダ２１２と、スピーカ２１３と、ヘッドフォン２１４と、電源制御ユニット２１５と、バッテリ２１６と、を備えている。情報処理装置１００が備える各部２０１〜２１６は、それぞれバス２１７によって接続される。
【００２３】
ＣＰＵ２０１は、メモリ２０２、ＨＤＤ２０４などに記憶されたプログラムを実行することによって、情報処理装置１００全体を制御する。メモリ２０２は、情報処理装置１００の基本処理プログラムなどを記憶している。メモリ２０２としては、たとえばＲＯＭ（Ｒｅａｄ  Ｏｎｌｙ  Ｍｅｍｏｒｙ）やＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）が用いられる。また、メモリコントローラ２０３は、ＣＰＵ２０１の制御にしたがって、メモリ２０２に対するデータの読み取り／書き込みを制御する。
【００２４】
ＨＤＤ２０４は、画像データ，制御プログラム，コピー済データファイルなどの各種の情報を記憶する。ＨＤＤ２０４の代わりにあるいはＨＤＤ２０４に加えて、ＤＶＤ、コンパクトディスク（ＣＤ）などの着脱可能な記憶媒体による記憶装置を設けてもよい。ＨＤＤ２０４はＡＴＡ  Ｉ／Ｆ２０５によって、ＣＰＵ２０１と接続されており、このＡＴＡ  Ｉ／Ｆ２０５により、ＨＤＤ２０４に格納されているデータの読み出しおよび書き込みをおこなう。
【００２５】
図示を省略するが、コピー済データファイルは、情報処理装置１００から画像データをコピーした外部ＨＤＤを識別する情報や、当該外部ＨＤＤに記憶された画像データを格納するフォルダのフォルダＩＤなどを、それぞれ関連付けて記憶する。情報処理装置１００から外部ＨＤＤへの画像データのコピーについては後述する。
【００２６】
フォルダＩＤは、たとえば、情報処理装置１００の起動時点から外部ＨＤＤに画像データをコピーした時点でフォルダが生成されるまでのカウント値である。フォルダＩＤは、たとえば、ミリ秒単位などのようにカウント値のカウント単位を小さくするほど、フォルダＩＤが重複する確率を減らすことができる。
【００２７】
入力デバイス２０６は、文字、数値、各種指示などの入力のための、たとえば図１−２に示すような各種ボタンによって構成されている。また、汎用入出力制御ユニット２０７は、入力デバイス２０６からの入出力を制御する。
【００２８】
ビデオＩ／Ｆ２０８は、ビデオデコーダ２０９を介して、上述した高精細液晶ディスプレイ１０４と接続される。このビデオＩ／Ｆ２０８は、たとえば、高精細液晶ディスプレイ１０４の全体の制御をおこなうグラフィックコントローラと、即時表示可能な画像情報を一時的に記録するＶＲＡＭ（Ｖｉｄｅｏ  ＲＡＭ）などのバッファメモリと、高精細液晶ディスプレイ１０４を表示制御する制御ＩＣなどによって構成される。
【００２９】
具体的には、ビデオＩ／Ｆ２０８は、グラフィックコントローラから出力された画像データをビデオデコーダ２０９によって復号化し、その復号化した画像データに基づいて、高精細液晶ディスプレイ１０４を表示制御する。ＬＥＤ２１０は、点灯または点滅することによって、ユーザに情報処理装置１００の状態あるいはユーザへ所定の情報（たとえば警告情報など）を告知する。
【００３０】
オーディオＩ／Ｆ２１１は、オーディオデコーダ２１２を介してスピーカ２１３およびヘッドフォン２１４に接続される。具体的には、オーディオＩ／Ｆ２１１から出力された音声データをオーディオデコーダ２１２によって復号化し、スピーカ２１３およびヘッドフォン２１４から音声出力する。
【００３１】
電源制御ユニット２１５は、ユーザによって情報処理装置１００の電源がＯＮにされた際に、バッテリ２１６からの電力を各構成部に供給する。また、ユーザによって情報処理装置１００の電源がＯＦＦにされた際には、各構成部に対する電力の供給を終了する。加えて、図示を省略するが、情報処理装置１００は、ＵＳＢコネクタに接続された外部記憶装置との間で通信をおこなう通信Ｉ／Ｆを備えている。
【００３２】
（情報処理装置の機能的構成）
図３は、この実施の形態にかかる情報処理装置１００の機能的構成を示すブロック図である。図３に示したように、情報処理装置１００は、コピー部３０１と、記録部３０２と、報知部３０３と、受付部３０４と、判断部３０５と、を備えている。
【００３３】
コピー部３０１は、フォルダ内に格納された画像データなどのデータを当該フォルダごとに外部記憶装置にコピーする。具体的に、コピー部３０１は、たとえば、上述したＳＤメモリーカードやＭＭＣなどにおいてフォルダごとに記録された画像データあるいはＨＤＤ２０４に記録された画像データを、外部記憶装置としての外部ＨＤＤ３１０にコピーする。
【００３４】
データのコピーは、該当するデータおよび当該データの記憶を指示するコマンドなどを含むコピー用のデータを情報処理装置１００から外部ＨＤＤ３１０へ転送し、コピー用のデータにしたがって外部ＨＤＤ３１０において該当するデータを所定の記憶領域に記憶することによっておこなわれる。情報処理装置１００から外部ＨＤＤ３１０にコピーされる画像データは、外部ＨＤＤ３１０にコピーされた時点で生成されるフォルダ内に格納される。なお、データのコピーについては、公知の技術であるため説明を省略する。
【００３５】
記録部３０２は、コピー部３０１によって外部ＨＤＤ３１０にコピーされたデータが格納されたフォルダおよびデータがコピーされた外部ＨＤＤ３１０に関する情報を関連づけて記録する。具体的に、記録部３０２は、たとえば、外部ＨＤＤ３１０にコピーされたデータが格納されたフォルダの位置情報を記録する。
【００３６】
ここで、データが格納されたフォルダに関する情報とは、データが格納されたフォルダ自体を識別可能な情報である。たとえば、データが格納されたフォルダが外部ＨＤＤ３１０にコピーされた場合、当該フォルダを特定可能な情報や、当該フォルダが外部ＨＤＤ３１０において記録されている場所をあらわす情報や、当該フォルダが情報処理装置１００においてコピー前に記録されていた場所などをあらわす情報が、データが格納されたフォルダに関する情報となる。
【００３７】
また、コピーされたデータが格納されたフォルダの位置情報とは、データが格納されたフォルダの記録場所を特定可能な情報である。たとえば、データが格納されたフォルダが外部ＨＤＤ３１０に記録されている場合、当該フォルダが外部ＨＤＤ３１０において記録されている場所をあらわす情報が、コピーされたデータが格納されたフォルダの位置情報となる。コピーされたデータが格納されたフォルダの位置情報には、当該フォルダを特定可能な情報が含まれていてもよい。
【００３８】
報知部３０３は、記録部３０２によって記録された情報を用いて、外部ＨＤＤ３１０にコピーされたデータが格納されたフォルダおよびデータがコピーされた外部記憶装置を案内する情報を報知する。実施の形態における報知部３０３は、高精細液晶ディスプレイ１０４に、外部ＨＤＤ３１０にコピーされたデータが格納されたフォルダおよびデータがコピーされた外部記憶装置を案内する情報を表示することによって報知をおこなう。
【００３９】
たとえば、上述した記録部３０２において外部ＨＤＤ３１０にコピーされたデータが格納されたフォルダの位置情報が記録されている場合、報知部３０３は、記録部３０２によって記録されている位置情報を用いて、外部ＨＤＤ３１０にコピーされたデータが格納されたフォルダにリンクされた表記情報を表示画面に表示する。
【００４０】
具体的に、表記情報とは、外部ＨＤＤ３１０にコピーされたデータが格納されたフォルダをあらわす図形や記号などである。記号とは、一定の事象や内容を代理・代行して指し示すはたらきをもつ知覚可能な対象である。記号として、たとえば、各種の符号・サイン・標識、文字などが挙げられる。あるいは、仮想のフォルダとして通常のフォルダと形状が同じアイコンを色を変えるなどで標記してもよい。
【００４１】
受付部３０４は、報知部３０３によって表示画面に表示された表記情報の指定を受け付ける。具体的に、受付部３０４は、上述した４−Ｗａｙリング１０７や「ＯＫ」ボタン１０８の操作を介して表記情報の指定を受け付ける。判断部３０５は、受付部３０４によって指定を受け付けた表記情報によってリンクされたフォルダに格納されたデータを取得可能か否かを判断する。
【００４２】
具体的に、判断部３０５は、記録部３０２に記録されたフォルダの位置情報を用いて、該当するデータがコピーされた外部ＨＤＤ３１０が情報処理装置１００に接続されているか否かを判断する。より具体的には、判断部３０５は、該当するデータがコピーされた外部ＨＤＤ３１０が情報処理装置１００に接続されている場合には、受付部３０４によって指定を受け付けた表記情報によってリンクされたフォルダに格納されたデータが取得可能であると判断する。判断部３０５は、さらに、位置情報を記録したテーブル（図５中符号５００を参照。）を用いて、該当するデータが、外部ＨＤＤ３１０にコピーされて現在は存在しないデータであるか否かを判断するようにしてもよい。
【００４３】
上述した報知部３０３は、判断部３０５による判断結果に応じて、指定を受け付けた表記情報によってリンクされたフォルダに格納されたデータ、または、当該データがコピーされた外部ＨＤＤ３１０との接続を要求するデータを、高精細液晶ディスプレイ１０４に表示する。具体的に、報知部３０３は、指定を受け付けた表記情報によってリンクされたフォルダに格納されたデータがコピーされた外部ＨＤＤ３１０が情報処理装置１００に接続されている場合には、該当するデータを高精細液晶ディスプレイ１０４に表示する。
【００４４】
一方、報知部３０３は、指定を受け付けた表記情報によってリンクされたフォルダに格納されたデータがコピーされた外部ＨＤＤ３１０が情報処理装置１００に接続されていない場合には、当該データがコピーされた外部ＨＤＤ３１０との接続を要求するデータを高精細液晶ディスプレイ１０４に表示する。具体的には、報知部３０３は、たとえば、過去に情報処理装置１００からデータをコピーした特定の外部ＨＤＤ３１０の名称や型番などを報知するメッセージおよび当該特定の外部ＨＤＤ３１０の接続を要求するメッセージなどを高精細液晶ディスプレイ１０４に表示する。
【００４５】
なお、上述したコピー部３０１は、フォルダ内に格納されたデータを当該フォルダごとに外部ＨＤＤ３１０にコピーし、コピー後に当該フォルダを削除するようにしてもよい。この場合、上述した記録部３０２は、コピー部３０２によって外部ＨＤＤ３１０にコピーされたデータが格納されていたフォルダ、および、データがコピーされた外部ＨＤＤ３１０に関する情報を関連づけて記録する。
【００４６】
そして、この場合、記録部３０２によって記録された情報を用いて、ユーザにより報知指示を受けたフォルダが外部ＨＤＤ３１０にコピーされたデータが格納されていたフォルダか否かを判定する判定部（図示を省略）を設け、上述した報知部３０３は、当該判定部によってデータが格納されていたフォルダであると判定された場合に、記録部３０２によって記録された情報を用いて、削除されて存在しない外部ＨＤＤ３１０にコピーされたデータが格納されていたフォルダを仮想的に表記するとともに、データがコピーされた外部ＨＤＤ３１０を案内する情報を報知するようにしてもよい。
【００４７】
（情報処理装置の処理手順）
図４は、この実施の形態にかかる情報処理装置の処理手順を示すフローチャートである。つぎに、図４を用いて、情報処理装置の処理手順について説明する。図４に示したように、情報処理装置の処理手順においては、まず、外部ＨＤＤ３１０にデータをコピーするまで待つ（ステップＳ４０１：Ｎｏ）。
【００４８】
ステップＳ４０１において、外部ＨＤＤ３１０にデータをコピーした場合（ステップＳ４０１：Ｙｅｓ）には、外部ＨＤＤ３１０にコピーされたデータが格納されたフォルダの位置情報を記録する（ステップＳ４０２）。ステップＳ４０１：Ｙｅｓにおいてデータがコピーされた場合、コピーされたデータおよび当該データを格納するフォルダを削除する。
【００４９】
ステップＳ４０２においては、フォルダの位置情報に加えて、当該フォルダに格納されたデータが外部ＨＤＤ３１０にコピーされたことをあらわす情報を記録する。ステップＳ４０２においては、フォルダの位置情報、および、当該フォルダに格納されたデータが外部ＨＤＤ３１０にコピーされたことをあらわす情報を、たとえば、上述したＨＤＤ２０４に格納されたテーブル（図５を参照。）に記録する。
【００５０】
また、ステップＳ４０２においては、外部ＨＤＤ３１０にコピーされたデータが格納されたフォルダの位置情報として、該当するフォルダが情報処理装置１００において記録されていた位置情報、および、該当するフォルダが外部ＨＤＤ３１０において記録されている位置情報を記録する。
【００５１】
なお、ステップＳ４０２において、外部ＨＤＤ３１０にコピーされたデータが格納されたフォルダの位置情報とともに、当該フォルダの外部ＨＤＤ３１０におけるフォルダ名をテーブルに記録するようにしてもよい。この場合、以降、テーブルを参照することで、当該テーブルにフォルダ名が記録されているか否かに応じて、情報処理装置１００から外部ＨＤＤ３１０にコピーしたフォルダであるか否かを判断することが可能になる。
【００５２】
つづいて、外部ＨＤＤ３１０にコピーされたデータが格納されたフォルダにリンクされた表記情報の表示指示があったか否かを判断する（ステップＳ４０３）。フォルダにリンクされた表示情報とは、コピーをおこなって情報処理装置から削除されたフォルダについての情報であって、コピーした先の外部記憶装置のフォルダへのリンクされた情報である。コピーされたか否かは上記のテーブルを参照することで判定する。
【００５３】
ステップＳ４０３において、表記情報の表示指示がない場合（ステップＳ４０３：Ｎｏ）には、ステップＳ４０１へ戻る。表記情報の表示指示があった場合（ステップＳ４０３：Ｙｅｓ）には、高精細液晶ディスプレイ１０４において、外部ＨＤＤ３１０にコピーされたデータが格納されたフォルダにリンクされた表記情報を表示する（ステップＳ４０４）。表記の方法は一例としては前述した外部ＨＤＤ３１０にコピーされたデータが格納されていたフォルダをあらわす図形や記号などである。
【００５４】
そして、高精細液晶ディスプレイ１０４に表示された表記情報のうちいずれか一つの表記情報の指定を受け付けたか否かを判断し（ステップＳ４０５）、受け付けない場合（ステップＳ４０５：Ｎｏ）には、一連の処理を終了する。図示を省略するが、ステップＳ４０５においては、高精細液晶ディスプレイ１０４に表記情報を表示してから所定時間、表記情報の指定の受け付けを待機するようにしてもよい。
【００５５】
ステップＳ４０５において、高精細液晶ディスプレイ１０４に表示された表記情報のうちいずれか一つの表記情報の指定を受け付けた場合（ステップＳ４０５：Ｙｅｓ）には、指定を受け付けた表記情報によってリンクされたフォルダに格納されたデータを取得可能か否かを判断する（ステップＳ４０６）。
【００５６】
ステップＳ４０６において、指定を受け付けた表記情報によってリンクされたフォルダに格納されたデータを取得可能である場合（ステップＳ４０６：Ｙｅｓ）には、該当するデータを取得して（ステップＳ４０７）、取得されたデータを用いて高精細液晶ディスプレイ１０４に画像を表示して（ステップＳ４０８）、一連の処理を終了する。
【００５７】
一方、ステップＳ４０６において、指定を受け付けた表記情報によってリンクされたフォルダに格納されたデータを取得することが不可能である場合（ステップＳ４０６：Ｎｏ）には、高精細液晶ディスプレイ１０４において、該当するデータがコピーされた外部ＨＤＤ３１０との接続を要求する接続要求メッセージを表示する（ステップＳ４０９）。指定を受けた表示情報によってリンクされたフォルダに格納されたデータを取得することが不可能である場合とは、リンクされたフォルダを格納した外部記憶装置が接続されていない場合などが該当する。
【００５８】
そして、ステップＳ４０９において接続要求データを表示してから所定時間が経過するまで（ステップＳ４１１：Ｎｏ）の間、該当するデータがコピーされた外部ＨＤＤ３１０が接続されたか否かを判断する（ステップＳ４１０）。該当するデータがコピーされた外部ＨＤＤ３１０が接続された場合（ステップＳ４１０：Ｙｅｓ）には、ステップＳ４０７へ移行する。一方、所定時間が経過するまでの間に該当するデータがコピーされた外部ＨＤＤ３１０が接続されない状態（ステップＳ４１０：Ｎｏ）のままで、ステップＳ４０９において接続要求データを表示してから所定時間が経過した場合（ステップＳ４１１：Ｙｅｓ）には、一連の処理を終了する。
【００５９】
図５は、位置情報を記録したテーブルの一例を示す説明図である。つぎに、図５を用いて、上述したテーブルの一例について説明する。図５に示したように、テーブル５００は、情報処理装置１００において記録されていたフォルダ名（図５中、「情報処理装置側フォルダ名」と記載。）５０１と、情報処理装置１００における記録位置をあらわす位置情報５０２と、を記録している。情報処理装置側フォルダ名５０１は、当該フォルダに格納されたデータを外部ＨＤＤ３１０にコピーした後は、実体をともなわず情報処理装置１００において当該フォルダが存在していたことをあらわす「表記情報」となる。
【００６０】
また、テーブル５００は、外部ＨＤＤ３１０において記録されているフォルダ名（図５中、「外部記憶装置側フォルダ名」と記載。）５０３と、外部ＨＤＤ３１０における記録位置をあらわす位置情報５０４と、を記録している。外部記憶装置側フォルダ名５０３の欄には、該当するデータの外部ＨＤＤ３１０へのコピー前であれば、たとえば、「まだバックアップされていない」などのように、情報処理装置１００から外部ＨＤＤ３１０へのデータのコピーがおこなわれていないことをあらわす情報が記録される。
【００６１】
また、テーブル５００は、情報処理装置側フォルダ名５０１と外部記憶装置側フォルダ名５０３との対応関係をあらわし、情報処理装置側フォルダ名５０１と外部記憶装置側フォルダ名５０３とをリンクさせるリンク情報５０５を記録する。リンク情報５０５によって、情報処理装置側フォルダ名５０１と外部記憶装置側フォルダ名５０３とが互いに関連付けられる。
【００６２】
上述したように、実施の形態の情報処理装置１００によれば、外部ＨＤＤ３１０にデータをコピーした場合には、以降、データが格納された外部ＨＤＤ３１０をフォルダごとに案内することができる。これによって情報処理装置１００は、外部ＨＤＤ３１０にコピーしたデータであれば、当該データが情報処理装置１００から消去された場合にも、データが格納された外部ＨＤＤ３１０をフォルダごとに案内することで、データの記憶場所を案内することができる。
【００６３】
そして、これによって情報処理装置１００の利用者は、データが記憶されている場所に拘わらず、情報処理装置１００においてデータの記憶場所を把握することができる。また、情報処理装置１００の利用者は、外部ＨＤＤ３１０にコピーしたデータを情報処理装置１００から消去することで、情報処理装置１００にデータを保持しておくためのメモリを有効に活用することができる。
【００６４】
また、実施の形態の情報処理装置１００によれば、高精細液晶ディスプレイ１０４に表示された表記情報を介して、データがコピーされた外部ＨＤＤ３１０と情報処理装置１００とをリンクさせることができる。これによって情報処理装置１００は、該当する外部ＨＤＤ３１０が接続されていることを条件として、当該外部ＨＤＤ３１０にコピーしたデータを情報処理装置１００における高精細液晶ディスプレイ１０４に表示することができる。そして、これによって情報処理装置１００の利用者は、データが記憶されている場所に拘わらず、情報処理装置１００においてデータを視認することができる。
【００６５】
また、この発明にかかる情報処理装置１００によれば、指定されたフォルダに格納されたデータを高精細液晶ディスプレイ１０４に表示するために適した情報を提供することができる。これによって情報処理装置１００は、情報処理装置１００の利用者による複雑な入力操作を介することなく、指定されたフォルダに格納されたデータを高精細液晶ディスプレイ１０４に表示することができる。そして、これによって情報処理装置１００の利用者は、所望のデータを、容易に視認することができる。
【００６６】
以上説明したように、情報処理装置１００によれば、データが記憶されている場所に拘わらず、データの記憶場所を案内することができる。そして、これによって情報処理装置１００の利用者は、データが記憶されている場所に拘わらず、情報処理装置１００においてデータの記憶場所を把握することができる。
【図面の簡単な説明】
【００６７】
【図１−１】この実施の形態にかかる情報処理装置の外観図（その１）。
【図１−２】この実施の形態にかかる情報処理装置の外観図（その２）。
【図２】この実施の形態にかかる情報処理装置のハードウエア構成図。
【図３】この実施の形態にかかる情報処理装置の機能的構成を示すブロック図。
【図４】この実施の形態にかかる情報処理装置の処理手順を示すフローチャート。
【図５】位置情報を記録したテーブルの一例を示す説明図。
【符号の説明】
【００６８】
１００  情報処理装置、３０１  コピー部、３０２  記録部、３０３  報知部、３０４  受付部、３０５  判断部
【図１−１】
2008117344.tif 000003
【図１−２】
2008117344.tif 000004
【図２】
2008117344.tif 000005
【図３】
2008117344.tif 000006
【図４】
2008117344.tif 000007
【図５】
2008117344.tif 000008